(57)【要約】【課題】シール性を確保しながら容易に組立可能であり、またリサイクル時には分離可能な構成した便座ユニットを提供することを目的とする。【解決手段】便座上部１と便座下部２により構成される便座ユニットにおいて、便座上部１と便座下部２の間に弾性材料３を配設した構成としたものである。これによって、便座ユニットのシール性を確保しながら容易に組立可能であり、またリサイクル時には分離可能な構成とすることができる。【選択図】図１
2005131092.tif 000002
【特許請求の範囲】
【請求項１】
便座上部と便座下部の間に弾性材料を配設した便座ユニット。
【請求項２】
弾性材料はＵ字またはＶ字断面にした請求項１に記載の便座ユニット。
【請求項３】
弾性材料の上下面に両面テープを配設した請求項１に記載の便座ユニット。
【請求項４】
弾性材料は便座ユニットの内部の上面または下面を覆うシートとした請求項１に記載の便座ユニット。
【請求項５】
弾性材料にはシリコンを用いた請求項１〜３のいずれか１項に記載の便座ユニット。
【発明の詳細な説明】
【技術分野】
【０００１】
本発明は便座上部と便座下部により構成される便座ユニットに関するものである。
【背景技術】
【０００２】
従来、便座ユニットは便座上部と便座下部からなり、便座上部と便座下部を超音波や低周波を利用した振動溶着にて一体に構成していた（例えば、特許文献１参照）。
【特許文献１】特開平１０−１６５３３１号公報
【発明の開示】
【発明が解決しようとする課題】
【０００３】
しかしながら、このような従来の構成では、溶着のための大掛かりな設備が必要となり、初期の設備投資等のコストが非常にかかる。また、一度溶着にて便座の上下を接合すると、暖房便座のようにヒータが配設されている場合は、樹脂以外の異部品（例えば、金属のヒータ線、アルミシート）があるため、リサイクルする上で分離しにくいという課題を有していた。
【０００４】
本発明は、前記従来の課題を解決するもので、容易に組立可能であり、またリサイクル時には分離可能な構成とした便座ユニットを提供することを目的とする。
【課題を解決するための手段】
【０００５】
前記従来の課題を解決するために、本発明の便座ユニットは、便座上部と便座下部の間に弾性材料を配設した構成としたものである。
【０００６】
これによって、便座ユニットのシール性を確保しながら容易に組立可能であり、またリサイクル時には分離可能な構成とすることができる。
【発明の効果】
【０００７】
本発明の便座ユニットは、容易に組立可能であり、またリサイクル時には分離可能な構成とすることができる。
【発明を実施するための最良の形態】
【０００８】
第１の発明は、便座上部と便座下部の間に弾性材料を配設した便座としたことにより、便座ユニットのシール性を確保しながら容易に組立可能であり、またリサイクル時には分離可能な構成とすることができる。
【０００９】
第２の発明は、特に、第１の発明における弾性材料をＵ字またはＶ字断面にしたことにより、弾性材料の配置を容易にし、作業効率を向上するとともにシール性も向上することができる。
【００１０】
第３の発明は、特に、第１の発明における弾性材料の上下面に両面テープを配設したことにより、便座ユニットのシール性を確保しつつ組立を容易にし、また分解も可能にすることができる。
【００１１】
第４の発明は、特に、第１の発明における弾性材料を便座ユニットの内部の上面または下面を覆うシートとしたことにより、便座の内周側配設と外周配設の二つの作業をひとつにして作業効率を向上することができる。また、便座上側の内部に配設する場合、暖房用のヒータを配設しているものについては、弾性材料が断熱の役目をし、省エネに貢献することができる。
【００１２】
第５の発明は、特に、第１〜第４のいずれか１つの発明における弾性材料にはシリコンを用いたことにより、シール性をさらに向上することができる。
【００１３】
以下、本発明の実施の形態について、図面を参照しながら説明する。なお、この実施の形態によって本発明が限定されるものではない。
【００１４】
（実施の形態１）
図１〜図３は本発明の実施の形態１における便座ユニットを示すものである。
【００１５】
図に示すように、便座ユニットは、便座上部１と、便座下部２により構成され、両者間には弾性材料３を配設している。また、便座上部１内部にはヒータ４が配設されている。そして、便座ユニットは、図３に示すような構成とし、温水衛生洗浄装置を構成している。
【００１６】
以上のように構成された便座ユニットにおいて、暖房便座の場合には、まず便座上部１の内側にヒータ４を貼り付ける。ヒータ４はヒータ線４ａを両面テープ付きアルミシート４ｂに溶着したものである。便座上部１と便座下部２の嵌合部分には弾性材料３を位置決めするための段差１ａ、２ａを設けてある。このどちらか一方の段差１ａ、２ａに弾性材料３をセットする。暖房便座の場合はヒータ４を貼り付けた便座上部１にセットする。ヒータ４を便座上部１の内側に貼り付ける場合、便座上部１を裏返して内側を上にして置、ヒータ４をセットする。そのままの状態で弾性材料３を配置する。次に、便座下部２をその上に合わせてツメ５とネジ６で便座上部１と便座下部２を結合し、固定する。
【００１７】
この構成により、便座ユニットのシール性を確保しながら容易に組立可能であり、また分解を容易にすることができる。すなわち、溶着機等の設備を必要とすることなく、便座上部１と便座下部２の間に弾性材料３を配設して、ツメ５とネジ６で上下を結合することにより、容易に便座ユニットを形成することができる。また弾性材料３を挟み込んでいるため、便座上部１と便座下部２の隙間を埋めることにより、内部への異物浸入を防ぐことが可能となる。リサイクル時にはまずネジ６を外し、便座上部１と便座下部２の隙間よりこじ開けることによりツメ５を外して、便座上部１と便座下部２と分離することができ、ヒータ４を便座上部１から剥がし取ることが可能となり、便座内部の部品と便座本体の部品とを分離することが容易となるものである。
【００１８】
（実施の形態２）
図４、図５は本発明の実施の形態２における便座ユニットを示すものである。
【００１９】
本実施の形態においては、便座上部１の嵌合部分は凹断面形状にし、便座下部２にはその便座上部の凹溝にはまり込む凸断面形状をもった構成としている。なお、凹と凸の形状は便座上下が逆になっても構わない。
【００２０】
図４においては、Ｕ字断面もしくはＶ字断面の弾性材料３を便座上部１の凹のリブ１ｂにはめ込む。図５においては、便座下部２の凸部のリブ２ｂにＵ字断面もしくはＶ字断面の弾性材料３をはめ込み、便座上部１と便座下部２を組み立てる。このことにより、弾性材料３の配置を容易にし、作業効率を向上するとともにシール性も向上することができる。
【００２１】
（実施の形態３）
次に、本発明の実施の形態３における便座ユニットについて、図１、図２により説明する。
【００２２】
本実施の形態においては、弾性材料３の上下面に、両面テープを配設し、便座上部１と便座下部２のリブ１ｂ、２ｂをガイドとして片側に貼り付ける。便座上部１と便座下部２とを組み立てる際に、もう一方の片側に貼り付くことになる。なお、リブ１ｂ、２ｂは両面テープを貼るためのガイドの役目をするため、便座上部１か便座下部２の少なくてもどちらか一方にあれば十分である。このように便座上部１と便座下部２の間に両面テープを配設したことにより、便座ユニットのシール性を確保しつつ組立を容易にし、また分解も可能にすることができる。
【００２３】
（実施の形態４）
図６は本発明の実施の形態４における便座ユニットを示すものである。
【００２４】
本実施の形態においては、弾性材料３は便座ユニットの内部の上面または下面を覆うシートとしたものである。これにより、便座の内周側配設と外周配設の二つの作業をひとつにして作業効率を向上することができる。
【００２５】
また、便座上部１の内部に配設する場合、暖房用のヒータ４を配設しているものについては、弾性材料３が断熱の役目をし、省エネに貢献することができる。
【００２６】
（実施の形態５）
本発明の実施の形態５における便座ユニットは、弾性材料３として、シリコンを用いたものである。
【００２７】
これにより、便座ユニットのシール性がさらに向上するものであり、極めて実用的なものとすることができる。
【産業上の利用可能性】
【００２８】
以上のように、本発明にかかる便座ユニットは、容易に組立可能であり、またリサイクル時には分離可能な構成とすることができるものであり、衛生洗浄装置として有用なものである。
【図面の簡単な説明】
【００２９】
【図１】本発明の実施の形態１〜４における便座ユニットの断面図
【図２】本発明の実施の形態１及び３における便座ユニットの部分断面図
【図３】本発明の実施の形態１〜４における便座ユニットを有する温水衛生洗浄装置の斜視図
【図４】本発明の実施の形態２における便座ユニットの部分断面図
【図５】同実施の形態２における便座ユニットの他の部分断面図
【図６】本発明の実施の形態４における便座ユニットの断面図
【符号の説明】
【００３０】
１  便座上部
２  便座下部
３  弾性材料
４  ヒータ
【図１】
2005131092.tif 000003
【図２】
2005131092.tif 000004
【図３】
2005131092.tif 000005
【図４】
2005131092.tif 000006
【図５】
2005131092.tif 000007
【図６】
2005131092.tif 000008